(57)【要約】【課題】取扱い性がよく、簡単な構造で迅速に乾燥することができる乾燥器を提供する。【解決手段】中空の函体２と、該函体２の側壁を貫通し、被乾燥物を出し入れ可能な開口部３と、前記函体２内壁の全面を覆い、黒色の黒体層４と、前記函体２内に配設されている赤外線ランプ５と、前記函体２の外側表面に設けられ、赤外線ランプ５の点灯及び消灯を操作するためのスイッチ６とを備えた。これにより、赤外線ランプ５から発せられた赤外線を効率よく黒体層４が吸収して放射することができる。したがって、乾燥効率が向上し、迅速な乾燥を実現できる。【選択図】図３
0003163866.tif 000002
【実用新案登録請求の範囲】
【請求項１】
中空の函体と、
該函体の側壁を貫通し、被乾燥物を出し入れ可能な開口部と、
前記函体内壁の全面を覆っている黒体層と、
前記函体内に配設されている赤外線ランプと、
前記函体の外側表面に設けられ、赤外線ランプの点灯及び消灯を操作するためのスイッチとを備えたことを特徴とする乾燥器。
【請求項２】
前記被乾燥物はハンガーに吊るされた衣類であり、
前記函体内に架け渡され、前記ハンガーを掛けるための竿材を有し、
該竿材の上下に前記赤外線ランプがそれぞれ配設されていることを特徴とする請求項１に記載の乾燥器。
【請求項３】
前記函体の側壁及び前記黒体層を貫通する複数の貫通孔をさらに備えたことを特徴とする請求項１又は２に記載の乾燥器。
【考案の詳細な説明】
【技術分野】
【０００１】
本考案は、赤外線を利用した乾燥器に関するものである。
【背景技術】
【０００２】
洗濯物保護ネットが特許文献１に記載されている。この洗濯物保護ネットは、天日乾燥による屋外での様々な環境における洗濯物の保護と、物干しすることによる住宅環境での外観を損なわないとするものである。そのために、従来の物干しハンガーにメッシュ素材のネットを上からかぶせている。このとき、太陽光線に含まれる赤外線の乾燥硬化を有効に利用するため、ネットを濃色（黒、紫、緑）にしている。
【０００３】
しかしながら、特許文献１の洗濯物保護ネットは、天日干しを前提としているため、天候によっては洗濯物を乾燥させることができないときがある。天日干しに適した天気であっても、迅速に乾燥させることは困難である。また、メッシュタイプのカバーは取扱いが面倒であり、特にハンガーにかぶせる操作が面倒である。
【先行技術文献】
【特許文献】
【０００４】
【特許文献１】実用新案登録第３０７６６１２号公報
【考案の概要】
【考案が解決しようとする課題】
【０００５】
本考案は、上記従来技術を考慮したものであって、取扱い性がよく、簡単な構造で迅速に乾燥することができる乾燥器を提供することを目的とする。
【課題を解決するための手段】
【０００６】
前記目的を達成するため、請求項１の考案では、中空の函体と、該函体の側壁を貫通し、被乾燥物を出し入れ可能な開口部と、前記函体内壁の全面を覆っている黒体層と、前記函体内に配設されている赤外線ランプと、前記函体の外側表面に設けられ、赤外線ランプの点灯及び消灯を操作するためのスイッチとを備えたことを特徴とする乾燥器を提供する。
【０００７】
また、請求項２の考案では、請求項１の考案において、前記被乾燥物はハンガーに吊るされた衣類であり、前記函体内に架け渡され、前記ハンガーを掛けるための竿材を有し、該竿材の上下に前記赤外線ランプがそれぞれ配設されていることを特徴としている。
【０００８】
また、請求項３の考案では、請求項１又は２の考案において、前記函体の側壁及び前記黒体層を貫通する複数の貫通孔をさらに備えたことを特徴としている。
【考案の効果】
【０００９】
請求項１の考案によれば、函体内壁の全面を覆っている黒体層が形成されているため、赤外線ランプから発せられた赤外線を効率よく吸収し、黒体層から再び放射することができる。したがって、乾燥効率が向上し、迅速な乾燥を実現できる。また、被乾燥物を乾燥させる際は、開口部から被乾燥物を投入して赤外線ランプを点灯させるだけなので、操作が簡単である。また、赤外線ランプのスイッチが函体の外側表面に設けられているため、赤外線ランプの点灯及び消灯操作が簡便である。
【００１０】
請求項２の考案によれば、ハンガーを掛けるための竿材が函体内に架け渡されているため、衣類を乾燥させるための操作が簡便である。また、竿材の上下に赤外線ランプがそれぞれ配設されているため、黒体層からの放射に加え、天日干しでは実現できない下側からの赤外線による乾燥効果を得ることができる。
【００１１】
また、請求項３の考案によれば、複数の貫通孔を備えることで、函体内の換気を効率よく行うことができる。
【図面の簡単な説明】
【００１２】
【図１】本考案に係る乾燥器の概略図である。
【図２】図１のＡ−Ａ断面図である。
【図３】本考案に係る乾燥器の一例を示す概略断面図である。
【考案を実施するための形態】
【００１３】
図１に示すように、本考案に係る乾燥器１は、中空の函体２を備えている。図では両端面が矩形の直方体形状の函体２を示しているが、両端面が多角形であってもよい。この函体２の側壁を貫通して、開口部３が備わっている。この開口部３は、乾燥させるべき被乾燥物を出し入れするためのものである。なお、この開口部３に開閉可能な扉を設けてもよい。図２を参照すれば明らかなように、函体２の内壁全面は、暗色（例えば黒色）の黒体層４で覆われている。この黒体層４は、函体２の内壁に黒色塗料を塗布して形成してもよいし、黒色のシートや板を張り付けて形成してもよい。また、函体２内には、赤外線ランプ５が配設されている。この赤外線ランプ５の点灯及び消灯操作をするためのスイッチ６は、函体２の外側表面に設けられている。
【００１４】
実際に被乾燥物を乾燥する場合は、開口部３から被乾燥物を投入する。そして、スイッチ６をオンにして赤外線ランプ５を点灯させる。この赤外線ランプ５からの赤外線の放射により、被乾燥物に熱エネルギを与え、被乾燥物が乾燥する。これと同時に、黒体層４に吸収された赤外線が黒体反射により放射され、黒体層４からの赤外線の放射によっても被乾燥物に熱エネルギを与え、被乾燥物の乾燥時間がさらに短縮される。
【００１５】
このように、函体２内壁の全面を覆い、黒色の黒体層４が形成されているため、赤外線ランプ５から発せられた赤外線を効率よく吸収し、黒体層４から再び放射することができる。したがって、乾燥効率が向上し、迅速な乾燥を実現できる。また、被乾燥物を乾燥させる際は、開口部３から被乾燥物を投入して赤外線ランプ５を点灯させるだけなので、操作が簡単である。また、赤外線ランプ５のスイッチ６が函体の外側表面に設けられているため、赤外線ランプ５の点灯及び消灯操作が簡便である。
【００１６】
一方、図３に示すように、被乾燥物が衣類７の場合、この衣類７を吊るすためのハンガー８を掛けるための竿材９を函体２内に備えてもよい。具体的には、竿材９は函体２内の上部に架け渡されている。この竿材９に衣類７が吊るされたハンガー８が掛けられた状態で、赤外線ランプ５は竿材９の上下側にそれぞれ位置するように配設されている。このように、ハンガー８を掛けるための竿材９が函体２内に架け渡されているため、ハンガー８を掛けるだけで衣類７を函体２内にセットでき、衣類７を乾燥させるための操作が簡便である。また、竿材９の上下に赤外線ランプ５がそれぞれ配設されているため、黒体層４からの放射に加え、天日干しでは実現できない下側からの赤外線による乾燥効果を得ることができる。
【００１７】
なお、函体２には、函体２の側壁及び黒体層４を貫通する複数の貫通孔１０をさらに備えてもよい（図では２個の貫通孔１０）。このように複数の貫通孔１０を被乾燥物を投入するための開口部３とは別に備えることで、函体内の換気を効率よく行うことができる。
【符号の説明】
【００１８】
１  乾燥器
２  函体
３  開口部
４  黒体層
５  赤外線ランプ
６  スイッチ
７  衣類
８  ハンガー
９  竿材
１０  貫通孔
【図１】
0003163866.tif 000003
【図２】
0003163866.tif 000004
【図３】
0003163866.tif 000005